(57)【要約】【課題】データ線とのカップリングの影響を低減してクロストークを抑制することを目的とする。【解決手段】表示装置１００は、２次元マトリックス状に配置された複数の画素回路５００と、列単位ごとに配線されたデータ線（ＯＤＤ）３１１乃至３１４およびデータ線（ＥＶＥＮ）３２１乃至３２４と、水平セレクタ（ＨＳＥＬ）３００とを含む。列単位ごとに対をなすデータ線（ＯＤＤ）３１１乃至３１４およびデータ線（ＥＶＥＮ）３２１乃至３２４は、列方向に交互に画素回路５００に接続される。水平セレクタ（ＨＳＥＬ）３００は、データ線（ＯＤＤ）３１１乃至３１４およびデータ線（ＥＶＥＮ）３２１乃至３２４のデータ信号が互いに逆位相となるように映像信号と基準信号とを切り替えて画素回路５００にデータ信号を供給する。【選択図】図１３
2009216869.tif 000002
【特許請求の範囲】
【請求項１】
２次元マトリックス状に配列された複数の画素回路と、
前記複数の画素回路の各列に対してそれぞれ配線された第１および第２のデータ線と、
前記第１および第２のデータ線のデータ信号が互いに逆位相となるように映像信号と基準信号とを切り替えるデータ駆動回路と
を具備する表示装置。
【請求項２】
前記複数の画素回路の各々は、前記第１および第２のデータ線のうちいずれか一方に接続される請求項１記載の表示装置。
【請求項３】
前記第１および第２のデータ線は、列方向に隣接する２つの画素回路に交互に接続される請求項２記載の表示装置。
【請求項４】
前記データ駆動回路は、
前記基準信号を供給する基準信号線と前記第１のデータ線との間の接続の有無を切り替える第１の切替回路と、
前記映像信号を供給する第１の映像信号線と前記第１のデータ線との間の接続の有無を切り替える第２の切替回路と、
前記基準信号線と前記第２のデータ線との間の接続の有無を切り替える第３の切替回路と、
前記映像信号を供給する第２の映像信号線と前記第２のデータ線との間の接続の有無を切り替える第４の切替回路と、
前記第１および第４の切替回路の両者における切り替えを制御する第１の切替制御線と、
前記第２および第３の切替回路の両者における切り替えを制御する第２の切替制御線と
を備える請求項３記載の表示装置。
【請求項５】
前記複数の画素回路に対して行単位に配線された走査線と、
前記走査線に制御信号を供給する走査駆動回路とをさらに備え、
前記複数の画素回路の各々は、前記走査線からの前記制御信号に応じて前記データ線からの前記データ信号を供給する第１のトランジスタを含み、
前記走査線からの前記制御信号により前記第１のトランジスタが導通している状態において前記データ線から前記基準信号が供給されている第１の期間と前記データ線から前記映像信号が供給されている第２の期間とを有し、
前記第１の期間は、１行分を走査する期間である水平走査期間に含まれる前記第２の期間とは異なる他の水平走査期間に含まれる請求項３記載の表示装置。
【請求項６】
前記データ駆動回路は、前記第１および第２のデータ線の前記データ信号における前記映像信号と前記基準信号との電位差が互いに等しくなるように供給する請求項２記載の表示装置。
【請求項７】
前記第１のデータ線は、前記複数の画素回路に接続されない請求項６記載の表示装置。
【請求項８】
前記複数の画素回路に対して行単位に配線された走査線と、
前記走査線に行単位で制御信号を供給して線順次走査する走査駆動回路と
をさらに備える請求項１記載の表示装置。
【請求項９】
前記複数の画素回路の各々は、下部電極と上部電極とを有して前記下部電極と前記上部電極との間に有機層を有する発光素子を含む請求項１記載の表示装置。
【請求項１０】
前記下部電極は、前記画素回路間に格子状に配線された共通の補助配線に接続される請求項９記載の表示装置。
【請求項１１】
前記複数の画素回路に対して行単位に配線された走査線および電源線と、
前記走査線に制御信号を供給する走査駆動回路と、
前記電源線に電源信号を供給する電源回路とをさらに備え、
前記複数の画素回路の各々は、第１および第２のトランジスタと保持容量とをさらに含み、
前記第１のトランジスタは、前記走査線からの前記制御信号に基づいて前記第１または第２のデータ線からの前記データ信号の電位を前記保持容量に保持させ、
前記第２のトランジスタは、前記電源線からの前記電源信号の電位が印加されると前記保持容量に保持されたデータ信号の電位に応じて前記発光素子に駆動電流を供給し、
前記発光素子は、前記駆動電流に応じて発光する
請求項９記載の表示装置。
【請求項１２】
前記走査駆動回路は、前記データ駆動回路が前記データ信号を前記基準信号から前記映像信号に切り替えた後に前記制御信号により前記第１のトランジスタを導通させて前記保持容量に前記映像信号を保持させる請求項１１記載の表示装置。
【発明の詳細な説明】
【技術分野】
【０００１】
本発明は、表示装置に関し、特に発光素子を画素に用いたアクティブマトリックス型の表示装置、および、その駆動方法に関する。
【背景技術】
【０００２】
発光素子として有機ＥＬ（Electroluminescence）素子を用いた平面自発光型の表示装置の開発が近年盛んに行われている。有機ＥＬ素子は、有機薄膜に電界をかけると発光するものであり、低電圧駆動で視認性もよいことから、表示装置の軽量薄膜化や低消費電力化などに寄与するものと期待されている。
【０００３】
この有機ＥＬ素子を用いた表示装置においては、画素回路を構成する駆動トランジスタによって有機薄膜に印加する電界の制御を行うが、この駆動トランジスタが有する閾値電圧および移動度には個体ごとにばらつきがある。そのため、これらの個体差を補正するための処理が必要となる。従来、このような補正処理を備えた画素回路は、構成素子数が多くなるため、表示装置の高精細化に不向きであった。これに対し、画素回路に供給する信号をスイッチングさせることによって画素回路の構成を簡素化する表示装置が提案されている（例えば、特許文献１参照。）。ここで、この表示装置の構成の概要について簡単に説明する。
【０００４】
図２４は、従来の表示装置の構成例の一部を示すブロック図である。表示装置８００は、二次元マトリックス状に配列された画素回路８４０と、画素回路８４０の列単位ごとに一本ずつ配線されるデータ線８１１乃至８１４と、映像信号および基準信号を切り替えてデータ線８１１乃至８１４に供給する水平セレクタ８１０と、行単位ごとに一本ずつ配線された走査線８２１乃至８２４および電源線８３１乃至８３４と、データ線８１１乃至８１４の信号を画素回路８４０に書き込むタイミングを行単位で制御するライトスキャナ８２０と、Ｈ（Ｈｉｇｈ）レベルおよびＬ（Ｌｏｗ）レベルの電位を切り替えて電源線８３１乃至８３４に供給する電源スキャナ８３０とを備える。次に、画素回路の構成の概要について次図を参照して説明する。
【０００５】
図２５は、一般的な有機ＥＬ素子を備えた画素回路の一構成例を示す図である。画素回路６００は、書込みトランジスタ６０１と、駆動トランジスタ６０２と、保持容量６０３と、有機ＥＬ素子からなる発光素子６０４とを備える。この画素回路６００の構成において、書込みトランジスタ６０１は、走査線（ＷＳ）６２１からの制御信号に応じてデータ線（ＤＴ）６１１の信号電位を保持容量６０３に保持させる。駆動トランジスタ６０２は、電源線（ＤＳ）６３１からＨレベルの電位を受けて、保持容量６０３に保持された信号電位に応じて駆動電流を発光素子６０４に流す。また、発光素子６０４は、アノード電極とカソード電極とを備え、これらの間に有機薄膜を有する。また、ここでは図示していないが、カソード電極の抵抗を下げるために、カソード電極には、画素回路間に格子状に配置されたカソード補助配線が接続される。
【０００６】
また、発光素子６０４を発光させる前には、駆動トランジスタ６０２の閾値電圧補正および移動度補正が行われる。具体的には、駆動トランジスタ６０２に対して、電源線６３１からＨレベルの電位を加えた状態においてデータ線６１１からの基準信号を供給することで閾値電圧補正を行い、その後、データ線６１１からの映像信号を供給することで移動度補正を行う。そして、発光素子６０４を発光させた後には、電源線６３１の電位をＨレベルからＬレベルに切り替えることにより駆動トランジスタの初期化を行う。このように、データ線６１１および電源線６３１に対して異なる信号を切り替えて供給することによって画素回路の構成を簡素化することができる。
【特許文献１】特開２００７−３１０３１１号公報（図３Ａ）
【発明の開示】
【発明が解決しようとする課題】
【０００７】
上述の従来技術では、画素回路に供給する信号を切り替えて供給することによって画素回路の構成を簡素化することができる。しかしながら、データ線に対して映像信号と基準信号とを切り替えて供給することによって、カソード電極やカソード補助配線がカップリングの影響を受けてしまう。さらに、このカップリングの影響は、発光素子の寄生容量などを介して駆動トランジスタのゲート−ソース間電圧を低下させる。これにより、所望の駆動電流が発光素子に供給できず、発光素子の輝度を低下させる場合がある。このように、データ信号からのカップリングの影響を受けて輝度に差が生じてしまうことをクロストークと呼ぶ。
【０００８】
本発明はこのような状況に鑑みてなされたものであり、データ線とのカップリングの影響を低減してクロストークを抑制することを目的とする。
【課題を解決するための手段】
【０００９】
本発明は、上記課題を解決するためになされたものであり、その第１の側面は、２次元マトリックス状に配列された複数の画素回路と、上記複数の画素回路の各列に対してそれぞれ配線された第１および第２のデータ線と、上記第１および第２のデータ線のデータ信号が互いに逆位相となるように映像信号と基準信号とを切り替えるデータ駆動回路とを具備する表示装置である。これにより、第１および第２のデータ線のデータ信号によって発生するカップリングを相殺させるという作用をもたらす。
【００１０】
また、この第１の側面において、上記複数の画素回路の各々を上記第１および第２のデータ線のうちいずれか一方に接続するようにしてもよい。これにより、第１および第２のデータ線のうちいずれか一方から各画素回路にデータ信号を供給させるという作用をもたらす。この場合において、上記第１および第２のデータ線を列方向に隣接する２つの画素回路に交互に接続するようにしてもよい。これにより、第１および第２のデータ線から交互に画素回路にデータ信号を供給させるという作用をもたらす。この場合において、上記データ駆動回路は、上記基準信号を供給する基準信号線と上記第１のデータ線との間の接続の有無を切り替える第１の切替回路と、上記映像信号を供給する第１の映像信号線と上記第１のデータ線との間の接続の有無を切り替える第２の切替回路と、上記基準信号線と上記第２のデータ線との間の接続の有無を切り替える第３の切替回路と、上記映像信号を供給する第２の映像信号線と上記第２のデータ線との間の接続の有無を切り替える第４の切替回路と、上記第１および第４の切替回路の両者における切り替えを制御する第１の切替制御線と、上記第２および第３の切替回路の両者における切り替えを制御する第２の切替制御線とを備えるようにしてもよい。これにより、第１および第２の切替制御線によって第１および第２のデータ線のデータ信号が互いに逆位相となるように映像信号と基準信号とを切り替えさせるという作用をもたらす。
【００１１】
また、上記第１および第２のデータ線を列方向に隣接する２つの画素回路に交互に接続する場合において、上記複数の画素回路に対して行単位に配線された走査線と、上記走査線に制御信号を供給する走査駆動回路とをさらに備え、上記複数の画素回路の各々は、上記走査線からの上記制御信号に応じて上記データ線からの上記データ信号を供給する第１のトランジスタを含み、上記走査線からの上記制御信号により上記第１のトランジスタが導通している状態において上記データ線から上記基準信号が供給されている第１の期間と上記データ線から上記映像信号が供給されている第２の期間とを有し、上記第１の期間は、１行分を走査する期間である水平走査期間に含まれる上記第２の期間とは異なる他の水平走査期間に含まれるようにしてもよい。これにより、カップリングが消失する十分な時間を確保することによって、カップリングの影響を回避させるという作用をもたらす。
【００１２】
また、この第１の側面において、上記複数の画素回路に対して行単位に配線された走査線と、上記走査線に行単位で制御信号を供給して線順次走査する走査駆動回路とをさらに備えるようにしてもよい。これにより、走査線に行単位で制御信号を供給して線順次走査させるという作用をもたらす。この場合において、上記複数の画素回路の各々は、下部電極と上部電極とを有して上記下部電極と上記上部電極との間に有機層を有する発光素子を含むようにしてもよい。これにより、上部電極と下部電極を用いて有機層に電界を印加して発光させるという作用をもたらす。この場合において、上記下部電極を上記画素回路間に格子状に配線された共通の補助配線に接続するようにしてもよい。これにより、上部電極の電圧降下を低減させるという作用をもたらす。
【００１３】
また、上記複数の画素回路の各々が下部電極と上部電極とを有して上記下部電極と上記上部電極との間に有機層を有する発光素子を含む場合において、上記複数の画素回路に対して行単位に配線された走査線および電源線と、上記走査線に制御信号を供給する走査駆動回路と、上記電源線に電源信号を供給する電源回路とをさらに備え、上記複数の画素回路の各々は、第１および第２のトランジスタと保持容量とをさらに含み、記第１のトランジスタは、上記走査線からの上記制御信号に基づいて上記第１または第２のデータ線からの上記データ信号の電位を上記保持容量に保持させ、上記第２のトランジスタは、上記電源線からの上記電源信号の電位が印加されると上記保持容量に保持されたデータ信号の電位に応じて上記発光素子に駆動電流を供給し、上記発光素子は、上記駆動電流に応じて発光するようにしてもよい。これにより、第１のトランジスタが走査線からの制御信号に応じてデータ信号の電位を保持容量に保持させ、第２のトランジスタが電源線からの電源信号の電位を印加されるとその保持容量に保持された信号電位に応じて発光素子に駆動電流を供給して発光素子を発光させるという作用をもたらす。この場合において、上記走査駆動回路は、上記データ駆動回路が上記データ信号を上記基準信号から上記映像信号に切り替えた後に上記制御信号により上記第１のトランジスタを導通させて上記保持容量に上記映像信号を保持させるようにしてもよい。これにより、第２のトランジスタのトランジェント特性による保持容量への書込み不足を防止させるという作用をもたらす。
【発明の効果】
【００１４】
本発明によれば、データ線とのカップリングの影響を低減してクロストークを抑制させるという優れた効果を奏し得る。
【発明を実施するための最良の形態】
【００１５】
次に本発明の実施の形態の第１の実施例について図面を参照して詳細に説明する。
【００１６】
図１は、本発明の実施の形態の第１の実施例における表示装置１００の一部の構成例を示す図である。ここでは、４×４個の画素回路を図示しているが、あくまでも例示に過ぎない。
【００１７】
表示装置１００は、二次元マトリックス状に配列された画素回路５００と、画素回路５００の列単位ごとに配線されるデータ線２１１乃至２１４およびダミー線（ｄｍｙ）２３１乃至２３４と、水平セレクタ（ＨＳＥＬ）２００と、行単位ごとに一本ずつ配線された走査線４２１乃至４２４および電源線４３１乃至４３４と、ライトスキャナ（ＷＳＣＮ）４２０と、電源スキャナ（ＤＳＣＮ）４３０とを備える。データ線２１１乃至２１４、走査線４２１乃至４２４および電源線４３１乃至４３４は、各画素回路５００に接続されるが、ダミー線２３１乃至２３４は、画素回路５００に接続されない。
【００１８】
水平セレクタ２００は、データ線２１１乃至２１４にデータ信号として映像信号と基準信号とを切り替えて供給するものである。また、この水平セレクタ２００は、映像信号と基準信号との間の電位差と同じ大きさで逆位相の信号を生成してダミー線２３１乃至２３４に供給する。
【００１９】
ライトスキャナ４２０は、データ線２１１乃至２１４のデータ信号を画素回路５００に書き込むタイミングを行単位で制御するものである。すなわち、ライトスキャナ４２０は、線順次走査方式によって画素回路５００へのデータ信号の書き込みを制御する。
【００２０】
電源スキャナ４３０は、電源線４３１乃至４３４に対して電源信号としてＨレベルの電位とＬレベルの電位とを切り替えて供給するものである。
【００２１】
図２５は、一般的な画素回路の一構成例を示す模式的な回路図である。画素回路６００は、書込みトランジスタ６０１と、駆動トランジスタ６０２と、保持容量６０３と、有機ＥＬ素子からなる発光素子６０４とを備える。書込みトランジスタ６０１のゲートおよびドレインには、それぞれ走査線（ＷＳ）６２１およびデータ線（ＤＴ）６１１が接続される。また、書込みトランジスタ６０１のソースには、保持容量６０３の一方の電極および駆動トランジスタ６０２のゲート（ｇ）が接続される。ここでは、この接続部位を第１ノード（ＮＤ１）６０５とする。駆動トランジスタ６０２のドレイン（ｄ）には、電源線６３１が接続され、駆動トランジスタ６０２のソース（ｓ）には、保持容量６０３の他方の電極および発光素子６０４のアノード電極が接続される。ここでは、この接続部位を第２ノード（ＮＤ２）６０６とする。
【００２２】
書込みトランジスタ６０１は、走査線（ＷＳ）６２１からの制御信号に応じてデータ線（ＤＴ）６１１からのデータ信号として基準信号の電位（Ｖｏｆｓ）または映像信号の電位（Ｖｓｉｇ）を保持容量６０３に保持させる。
【００２３】
駆動トランジスタ６０２は、電源線（ＤＳ）６３１からＨレベルの電位（Ｖｃｃ＿Ｈ）を受けて、保持容量６０３に保持された信号電位に応じて駆動電流を発光素子６０４に流す。
【００２４】
発光素子６０４は、アノード電極とカソード電極とを備え、これらの間に有機薄膜を備える。なお、ここでは図示していないが、カソード電極には、カソード電極の抵抗を下げるために、画素回路間に格子状に配線されたカソード補助配線が接続される。
【００２５】
図２は、画素回路６００の動作に関するタイミングチャートである。ここでは、横軸を共通の時間軸として、走査線６２１、電源線６３１、データ線６１１、第１ノード６０５および第２ノード６０６の電位変化を表している。なお、各期間を示す横軸の長さは模式的なものであり、各期間の時間長の割合を示すものではない。
【００２６】
このタイミングチャートは、画素回路６００の動作の遷移をＴＰ１からＴＰ８の期間に便宜的に区切っている。発光期間ＴＰ８では、発光素子６０４が発光状態にある。この状態においては、走査線６２１の制御信号の電位はＬレベル、電源線６３１の電源信号の電位はＨレベル（Ｖｃｃ＿Ｈ）、データ線６１１は基準信号の電位（Ｖｏｆｓ）に設定されている。この後、線順次走査の新しいフィールドに入り、閾値補正準備期間ＴＰ１では、電源線６３１の電位がＬレベル（Ｖｃｃ＿Ｌ）に落とされる。これにより、第１ノード６０５および第２ノード６０６の電位が低下する。続いて、閾値補正準備期間ＴＰ２では、走査線６２１の電位がＨレベルに上げられ、第１ノード６０５が基準信号の電位（Ｖｏｆｓ）に初期化される。それに伴い第２ノード６０６も初期化される。このように、第１および第２ノード６０５および６０６を初期化することで、閾値補正動作の準備が完了する。
【００２７】
次に、閾値補正期間ＴＰ３では、閾値電圧補正動作が行われる。電源線６３１の電位がＨレベル（Ｖｃｃ＿Ｈ）に設定され、第１ノード６０５と第２ノード６０６との間に閾値電圧（Ｖｔｈ）に相当する電圧が保持される。実際には、閾値電圧（Ｖｔｈ）に相当する電圧が保持容量６０３に書き込まれる。その後、ＴＰ４では、一旦、走査線６２１に供給される制御信号がＬレベルの電位に落とされ、ＴＰ５では、データ線６１１のデータ信号が基準信号の電位（Ｖｏｆｓ）から映像信号の電位（Ｖｓｉｇ）に切り替えられる。
【００２８】
次に、書込み期間／移動度補正期間ＴＰ６では、第１ノード６０５の電位が映像信号の電位（Ｖｓｉｇ）まで上昇するとともに第２ノード６０６の電位が移動度補正用の電圧（ΔＶ）だけ上昇する。つまり、保持容量６０３に対して、映像信号（Ｖｓｉｇ）と基準信号（Ｖｏｆｓ）との間の電位差である信号電圧（Ｖｓｉｇ−Ｖｏｆｓ）が加えられるとともに移動度補正用の電圧（ΔＶ）が差し引かれて保持される。この後、発光期間ＴＰ７およびＴＰ８では、信号電位に応じた輝度で発光素子６０４が発光する。この場合、信号電圧が閾値電圧（Ｖｔｈ）と移動度補正用の電圧（ΔＶ）とによって調整されているため、発光素子６０４の輝度は、駆動トランジスタ６０２の閾値電圧（Ｖｔｈ）および移動度のばらつきの影響を受けない。なお、発光期間におけるＴＰ７からＴＰ８の途中までの間では、ブートストラップ動作によって第１ノード６０５と第２ノード６０６との間の電位差（Ｖｓｉｇ−Ｖｏｆｓ＋Ｖｔｈ−ΔＶ）を維持したまま、第１および第２ノード６０５および６０６の電位が上昇する。
【００２９】
次に、上述の画素回路６００の動作の遷移について次図を参照して詳細に説明する。ここでは、図２で示したタイミングチャートのＴＰ１乃至ＴＰ８の期間に対応する画素回路６００の動作状態を示す。なお、便宜上、発光素子６０４の寄生容量６０８を図示している。また、書込みトランジスタ６０１をスイッチとして図示しており、走査線６２１については省略している。
【００３０】
図３（ａ）乃至（ｃ）は、ＴＰ８、ＴＰ１およびＴＰ２の期間にそれぞれ対応する画素回路６００の動作状態を示す模式的な回路図である。発光期間ＴＰ８では、図３（ａ）に示すように、電源線（ＤＳ）６３１の電位がＨレベルの電位（Ｖｃｃ＿Ｈ）の状態にあり、駆動トランジスタ６０２が駆動電流（Ｉｄｓ）を発光素子６０４に供給している。
【００３１】
次に、閾値補正準備期間ＴＰ１では、図３（ｂ）に示すように、電源線６３１の電位がＨレベルからＬレベルの電位（Ｖｃｃ＿Ｌ）に遷移する。これにより、第２ノード（ＮＤ２）６０６の電位が低下して、発光素子６０４が非発光状態となる。また、第２ノード６０６の電位低下に倣うように、浮遊状態の第１ノード（ＮＤ１）６０５の電位を低下させる。
【００３２】
続いて、閾値補正準備期間ＴＰ２では、図３（ｃ）に示すように、走査線６２１の電位がＨレベルに遷移することで書込みトランジスタ６０１がオン（導通）状態となる。これにより、第１ノード６０５の電位は、データ線（ＤＴ）６１１の基準信号の電位（Ｖｏｆｓ）に初期化される。一方、電源線６３１のＬレベルの電位（Ｖｃｃ＿Ｌ）が基準信号の電位（Ｖｏｆｓ）より十分に低いことから、第２ノード６０６の電位は、電源線６３１のＬレベルの電位（Ｖｃｃ＿Ｌ）に初期化される。ここでは、第１ノード６０５と第２ノード６０６との間の電位差（Ｖｏｆｓ−Ｖｃｃ＿Ｌ）が駆動トランジスタ６０２の閾値電圧（Ｖｔｈ）より大きくなるように、電源線６３１のＬレベルの電位（Ｖｃｃ＿Ｌ）を設定する。
【００３３】
図４（ａ）乃至（ｃ）は、ＴＰ３乃至ＴＰ５の期間にそれぞれ対応する画素回路６００の動作状態を示す模式的な回路図である。
【００３４】
ＴＰ２に続いて、閾値補正期間ＴＰ３では、図４（ａ）に示すように、電源線（ＤＳ）６３１の電位がＨレベル（Ｖｃｃ＿Ｈ）に遷移する。これにより、駆動トランジスタ６０２に電流が流れることで、第２ノード（ＮＤ２）６０６の電位が上昇する。そして、第１ノード６０５と第２ノード６０６との間の電位差が閾値電圧（Ｖｔｈ）となったところで電流が止まる（カットオフ状態となる）。このようにして、駆動トランジスタ６０２の閾値電圧（Ｖｔｈ）に相当する電圧が保持容量６０３に書き込まれる。すなわち、これが閾値電圧補正動作である。このとき、駆動トランジスタ６０２からの電流が発光素子６０４に流れないようにカソード電極の電位を設定する。これによって、駆動トランジスタ６０２の電流が保持容量６０３に流れるようになる。
【００３５】
次に、ＴＰ４では、図４（ｂ）に示すように、走査線６２１から供給される制御信号の電位がＬレベルに遷移して、書込みトランジスタ６０１がオフ（非導通）状態となる。続いて、ＴＰ５では、図４（ｃ）に示すように、データ線（ＤＴ）６１１のデータ信号の電位が基準信号から映像信号の電位（Ｖｓｉｇ）に遷移する。この場合、データ線６１１においては、データ線６１１に接続された複数の画素回路内の書込みトランジスタが拡散容量となって、映像信号の電位（Ｖｓｉｇ）の立ち上がりが緩やかになる。ここでは、このデータ線６１１のトランジェント特性を考慮し、データ信号が映像信号の電位（Ｖｓｉｇ）に達するまでの間、書込みトランジスタ６０１をオフ状態にしている。
【００３６】
図５（ａ）および（ｂ）は、ＴＰ６およびＴＰ７の期間にそれぞれ対応する画素回路６００の動作状態を示す模式的な回路図である。
【００３７】
ＴＰ５に続いてＴＰ６では、図５（ａ）に示すように、書込みトランジスタ６０１がオン状態となり、第１ノード（ＮＤ１）の電位が映像信号の電位（Ｖｓｉｇ）となる。これにより、駆動トランジスタ６０２から発光素子６０４の寄生容量６０８に駆動電流（Iｄｓ）が流れ、寄生容量６０８が充電を開始する。そのため、第２ノード（ＮＤ２）６０６の電位が上昇する。そして、第１ノード６０５と第２ノード６０６との間の電位差がＶｓｉｇ−Ｖｏｆｓ＋Ｖｔｈ−ΔＶとなる。このようにして、信号電位（Ｖｓｉｇ−Ｖｏｆｓ）の書込みおよび移動度補正量（ΔＶ）の調整が行われる。ここで、信号電位（Ｖｓｉｇ−Ｖｏｆｓ）が大きいほど、駆動電流（Ｉｄｓ）が大きくなり、移動度補正量（ΔＶ）も大きくなる。したがって、輝度レベルに応じた移動度補正を行うことができる。また、信号電位（Ｖｓｉｇ−Ｖｏｆｓ）を一定にした場合には、駆動トランジスタ６０２の移動度が大きいほど、移動度補正量（ΔＶ）も大きくなる。すなわち、移動度が大きいと、その分だけ駆動トランジスタのゲート−ソース間電圧が低くなり、それによって駆動電流が大きくならないように動作する。このようにして、画素回路ごとの移動度のばらつきが取り除かれる。
【００３８】
次に、発光期間ＴＰ７では、図５（ｂ）に示すように、書込みトランジスタ６０１がオフ状態となり、ＴＰ８では、データ線６１１のデータ信号が基準信号に切り替えられる。これにより、発光素子６０４のアノード電極の電位が駆動トランジスタ６０２の駆動電流（Ｉｄｓ）に応じて上昇すると、第１ノード（ＮＤ１）６０５の電位も連動して上昇するが、ブートストラップ動作により、第１ノード６０５と第２ノード６０６との間の電位差（Ｖｓｉｇ−Ｖｏｆｓ＋Ｖｔｈ−ΔＶ）は維持される。なお、ＴＰ７の期間は、書込みトランジスタ６０１がオフ状態になる前に、データ線６１１のデータ信号が基準信号に切り替わらないように設けられた期間である。
【００３９】
図６は、表示装置における画素回路６００とカソード補助配線６０９との関係を示す模式図である。ここでは、書込みトランジスタ６０１と、駆動トランジスタ６０２と、保持容量６０３と、発光素子６０４と、カソード補助配線６０９と、データ線６１１が示されている。なお、カソード補助配線６０９以外の構成は図２５に示した機能と同様であるため、ここでの説明を省略する。
【００４０】
カソード補助配線６０９は、画素回路間を格子状に配線され、各画素回路における発光素子６０４のカソード電極と接続される。このカソード補助配線６０９は、発光素子６０４のカソード電極の電圧降下を低減するためのものである。カソード電極は、光透過性を確保するために薄膜化され、カソード電極自身の抵抗が上昇してしまう。これに伴い、電圧降下が生じて表示品質の低下を引き起こすおそれがある。そのため、カソード補助配線６０９を設けて、発光素子６０４のカソード電極の抵抗を低減させている。
【００４１】
一方、カソード補助配線６０９は、画素回路間に格子状に配線されることから、データ線６１１以外の複数のデータ線とも交差する。そのため、カソード補助配線６０９は、複数のデータ線からカップリングの影響を受けてカソード電極にも影響を与える。さらに、このカップリングの影響は、発光素子６０４の寄生容量や保持容量６０３を介して駆動トランジスタ６０２のゲート−ソース間電圧にも影響を及ぼし、最終的に他の画素回路と輝度差が生じてクロストークとして表れる。
【００４２】
図７は、画素回路６００の要部を示す断面模式図である。ここでは、駆動トランジスタ６０２に対応するゲート電極６１２、ドレイン領域６２２およびソース領域６３２と、発光素子６０４に対応するカソード電極６２４、有機層６１４およびアノード電極６３４と、カソード補助配線６０９と、データ線６１１とが示されている。最上層に形成されるカソード電極６２４は、自己発光する有機層６１４およびカソード補助配線６０９に接続される。その有機層６１４は、アノード電極６３４に接続され、そのアノード電極６３４は、配線６１８を介して駆動トランジスタ６０２のソース領域６３２に接続される。この配線６１８が上述の第２ノード６０６に相当する。また、そのソース領域６３２と同一層にドレイン領域６２２が形成され、ソース領域６３２とドレイン領域６２２との間にゲート電極６１２が形成される。
【００４３】
一方、カソード補助配線６０９の下層には、層間絶縁膜６１９を介してデータ線６１１が形成される。なお、カソード電極６２４の抵抗を極力下げるために、カソード補助配線６０９は、アノード電極６３４と同一の層に形成される。
【００４４】
このように、カソード補助配線６０９とデータ線６１１とが近接していることから、カソード補助配線６０９にとって、データ線６１１からのカップリングの影響を受けやすい構造になっている。
【００４５】
図８は、カップリングの影響を例示するタイミングチャートである。ここでは、カップリングの影響として、発光素子６０４のカソード電極６２４の電位変化を例に挙げて示す。また、データ線８１１および２１１のデータ信号は、列方向の画素回路に順次供給されるものとし、各画素回路に供給される映像信号の電位（Ｖｓｉｇ）は同一とする。図８（ａ）は、従来の表示装置８００におけるカップリングの影響を例示する図である。図８（ｂ）は、本発明の実施の形態の第１の実施例による表示装置１００のカップリングの影響を例示する図である。なお、横軸を時間として表わすが、その横軸の長さは模式的なものであり、時間長の割合を示すものではない。
【００４６】
図８（ａ）には、時間軸を共通として、データ線８１１とカソード電極６２４との電位変化が示されている。データ線８１１のデータ信号の電位は、映像信号の電位（Ｖｓｉｇ）と基準信号の電位（Ｖｏｆｓ）とが切替わることにより変化する。この場合、カソード電極６２４の電位は、データ線８１１の基準信号から映像信号に切替わるタイミングおよび映像信号から基準信号に切替わるタイミングにおいて大きく変動する。この電位の変動幅がカップリングの影響度合いを表している。カップリングの影響は、データ線の基準信号の電位（Ｖｏｆｓ）と映像信号の電位（Ｖｓｉｇ）との間の電位差の大きさ、および、データ線の本数に依存する。なお、本発明の実施の形態では、行単位で画素回路にデータ信号を供給することから、このカップリングの影響を大きく受けることになる。
【００４７】
図８（ｂ）には、時間軸を共通としてデータ線２１１とダミー線２３１とカソード電極６２４との電位変化が示されている。データ線２１１の電位は、図８（ａ）に示したデータ線８１１と同じように変化をする。この場合における、データ線２１１の映像信号と基準信号との間の電位差はＶｄとする。ダミー線２３１の電位は、基準信号の電位（Ｖｏｆｓ）と水平セレクタ２００により生成されるダミー信号の電圧（Ｖｄｍｙ）とが切替わることにより変化する。この場合、ダミー信号の電位は、基準信号の電位（Ｖｏｆｓ）よりＶｄ低い電位とする。さらに、ダミー線２３１の切り替えタイミングとしては、映像信号から基準信号に切り替えるタイミングに合わせてダミー信号から基準信号に切り替え、基準信号から映像信号に切り替えるタイミングに合わせて基準信号からダミー信号に切り替える。
【００４８】
このようにダミー線２３１を設けることで、カソード電極６２４の電位の変動は低減される。これは、データ線２１１の電位差と同じ大きさで逆位相の信号をダミー線２３１に流すことによって、カソード電極６２４に生じるカップリングを相殺するからである。しかしながら、データ線２１１とダミー線２３１とでは、信号切替え時の電位の立ち上がりおよび立ち下りにおけるトランジェント特性が異なるため、カソード電極６２４に生じるカップリングは完全に相殺されない。具体的には、ダミー線２３１は、画素回路に接続されていないため、ダミー線２３１の信号の立ち上がり時間および立ち下り時間は短い。それに対して、データ線２１１は、列方向に接続された画素回路５００内の書込みトランジスタのもつ拡散容量によってトランジェント特性が悪くなる。そのため、データ線２１１とダミー線２３１とのトランジェント特性に違いが生じる。なお、ここでは、ダミー線２３１に負荷容量を加えていないが、ダミー線２３１に対してデータ線２１１のトランジェント特性と同様の特性をもたせるように負荷容量を加えるようにしてもよい。
【００４９】
図９は、本発明の実施の形態の第１の実施例による表示装置１００のカップリングの影響を例示するタイミングチャートである。ここでは、時間軸を共通にして、水平同期線４２９と、走査線４２１乃至４２６と、データ線２１１と、ダミー線２３１と、カソード電極６２４との電位変化が示されている。なお、データ線２１１、ダミー線２３１およびカソード電極６２４については、図８に示した波形と同様であるため、ここでの説明を省略する。また、横軸を時間軸とするが、その横軸の長さは模式的なものであり、時間長の割合を示すものではない。
【００５０】
水平同期線４２９の水平同期信号の電位は、一定の間隔でＨレベルとＬレベルとに切り替わる。この電位変化は、データ信号の書込み対象となる画素回路５００を行単位で切り替えるタイミングを示している。ここでは、データ線２１１のデータ信号を書込む期間を１水平走査期間とし、第１の水平走査期間（１Ｈ）から第６の水平走査期間（６Ｈ）までを表している。なお、水平同期信号は、ライトスキャナ４２０により生成される。
【００５１】
走査線４２１乃至４２６の電位は、データ線２１１のデータ信号が画素回路５００に書込まれる際にＨレベルとなる。これより、走査線４２１から順次、データ線２１１のデータ信号が書込まれていくことがわかる。また、一水平走査期間内に走査線４２１乃至４２６の電位がＨレベルとなる期間が２つ示されているが、上述のように、Ｈレベルの状態が長い期間（第１の期間）が閾値補正に関する期間であり、短い期間（第２の期間）が書込み期間および移動度補正期間である。この場合、カソード電極６２４が受けるカップリングは、書込み期間および移動度補正期間（第２の期間）における画素回路の動作に影響を与える。
【００５２】
図１０は、本発明の実施の形態の第１の実施例による表示装置１００の第４の水平走査期間（４Ｈ）におけるカップリングの影響を例示するタイミングチャートである。ここでは、図９で示した第４の水平走査期間（４Ｈ）における走査線４２４とデータ線２１１とに接続された画素回路５００について説明する。なお、横軸を共通の時間軸として、走査線４２４、電源線４３４、データ線２１１、第１ノード６０５および第２ノード６０６の電位変化を表している。なお、ここでは、図９に示した電位変化に加えて電源線４３４、第１ノード６０５および第２ノード６０６の電位変化が示されているが、これ以外は同様の電位変化であるため、説明を省略する。さらに、ここで示すＴＰ１乃至ＴＰ８は、図２で示した画素回路の動作に関する期間と同様であるため、説明を省略する。また、各期間を示す横軸の長さは模式的なものであり、各期間の時間長の割合を示すものではない。
【００５３】
カソード電極６２４が受けるカップリングは、ＴＰ５乃至ＴＰ８の期間の画素回路の動作に影響を与える。具体的には、第１ノード６０５および第２ノード６０６の電位が影響を受ける。例えば、第２ノード６０６は、発光素子６０４の寄生容量や移動度補正のために設けられた付加容量などを介してカップリングの影響を受け、さらに、そのカップリングの影響が、保持容量６０３を介して第１ノード６０５の電位にも影響を及ぼす。
【００５４】
したがって、ここでは、ＴＰ５乃至ＴＰ８における第１ノード６０５および第２ノード６０６の電位変化を中心に説明する。なお、第１ノード６０５および第２ノード６０６の電位変化を示す波形については、カップリングの影響を受けた場合の波形を太線で表わし、カップリングの影響を受けない場合の波形を細い破線で表わしている。
【００５５】
ＴＰ５では、データ線２１１のデータ信号が基準信号から映像信号に切り替わることにより、カソード電極６２４がカップリングの影響を受ける。それにより、第１ノード６０５および第２ノード６０６の電位は、破線により示される所望の電位より低下する。なお、第１ノード６０５と第２ノード６０６とでは、低下する電位の大きさは異なる。続いて、ＴＰ６では、データ線２１１からの映像信号が保持容量６０３に書き込まれるため、第１ノード６０５の電位は、所望の映像信号の電位（Ｖｓｉｇ）まで上昇する。それに対し、第２ノード６０６の電位は、移動度補正の動作により上昇する。この期間では、第２ノード６０６は、カップリングの影響をほとんど受けないが、ＴＰ６の開始時において第２ノード６０６の電位が所望の電位より低いことからＴＰ６の終了時においても電位が所望の電位より低いままとなる。また、ＴＰ７でも、第２ノード６０６においては所望の電位との差はほとんど変わらずに維持される。ＴＰ８では、データ線２１１のデータ信号が基準信号に切替ることにより、カソード電極６２４がＴＰ５とは逆の方向にカップリングの影響を受ける。そのため、第１ノード６０５および第２ノード６０６の両者の電位が影響を受けて所望の電位より上昇してしまう。
【００５６】
このように、本発明の実施の形態の第１の実施例では、データ線２１１とのカップリングによって第１ノード６０５と第２ノード６０６との間の電位差が変動するが、ダミー線２３１を設けることでそのカップリングの影響が抑制され、その変動の大きさは低減される。これにより、発光素子の輝度の差が低減され、クロストークを抑制することがきる。
【００５７】
図１１は、データ線とのカップリングによって発生するクロストークの影響について説明するための概念図である。図１１（ａ）は、表示装置に表示させる画像である。ここでは、白色の背景に黒色のウィンドウが示された画像を表示装置に表示させることを想定する。なお、説明の便宜上、この画像を行方向に３つに区切り、上から白表示領域６５１、黒ウィンドウ表示領域６５２、白表示領域６５３とする。１行に黒色が含まれる線から構成される領域が黒ウィンドウ表示領域６５２であり、その他の白色からなる領域が白表示領域６５１および６５３である。また、データ線６１５に時系列に出力される１列分の画素は全て白色を示し、データ線６１６に時系列に出力される一列分の画素は白色の他に黒色を一部含んでいる。また、走査線６２５に対応する行の画素は、白表示領域６５１に含まれ、走査線６２６に対応する行の画素は、黒ウィンドウ表示領域６５２に含まれる。
【００５８】
図１１（ｂ）は、図１１（ａ）に示した画像を従来の表示装置８００に表示させた場合のカップリングの影響を例示する図である。ここでは、横軸を共通の時間軸として、データ線６１５および６１６と、カソード電極６２４と、走査線６２５および６２６との電位変化を表わしている。また、データ線６１５および６１６の映像信号の電位については、白色表示の場合には基準信号の電位より高いレベルとし、黒色表示の場合には基準信号の電位と同じレベルとしている。
【００５９】
データ線６１５は、データ線６１５に対応する画素回路が全て白色を表示するため、信号の切り替え時に電位レベルが大きく変化する。一方、データ線６１６は、白表示領域６５１および６５３ではデータ線６１５と同様に電位が変化するが、黒ウィンドウ表示領域６５２内では変化しない。
【００６０】
白表示領域６５１および６５３では、全てのデータ線の電位が同時に揺れ動くため、カソード電極６２４の電位も大きく変動する。一方、黒ウィンドウ表示領域６５２では、一部の画素回路が黒色を表示するため、白表示領域６５１および６５３に比べてカソード電極６２４の電位の変動幅は小さい。
【００６１】
この場合、白表示領域６５１内の走査線６２５に接続された行方向の画素回路では、映像信号の書込みおよび移動度補正を行う際（第２の期間）にカップリングの影響を大きく受ける。一方、黒ウィンドウ表示領域６５２内の走査線６２６に接続された行方向の画素回路では、走査線６２５に接続された画素回路に比べてカップリングの影響は小さい。
【００６２】
このように、データ線のデータ信号の切り替えによるカップリングの影響は、電位の立ち上がりまたは立ち下がりが同じタイミングであるデータ線の本数に依存する。例えば、データ線の本数が多いほど、カップリングの影響は大きくなる。なお、カップリングの影響は、データ線の映像信号と基準信号との間の電位差の大きさにも依存する。
【００６３】
図１２は、データ線とのカップリングによって発生するクロストークの影響を例示する概念図である。ここでは、図１１（ａ）に示した画像を表示装置で表示した場合の概念図が示されている。図１２（ａ）は、従来の表示装置８００におけるクロストークの影響を示しており、図１２（ｂ）は、本発明の実施の形態の第１の実施例による表示装置１００におけるクロストークの影響を示している。
【００６４】
図１２（ａ）では、白表示領域６５１および６５３は、上述のとおり、カップリングの影響を大きく受けるため灰色で表示される。一方、黒ウィンドウ表示領域６５２における黒ウィンドウの左右の領域は、カップリングの影響が比較的小さいことから、白色に近い色で表示される。このように、カップリングによって他の画素回路と輝度差が生じてクロストークとして表れる。図１２（ｂ）では、図１２（ａ）に比べて、白表示領域６５１および６５３と黒ウィンドウ表示領域６５２における黒ウィンドウの左右の領域との輝度差が低減され、より白色に近い色で表示される。
【００６５】
このように、本発明の実施の形態における表示装置１００の第１の実施例によれば、データ線と平行してダミー線を配線し、そのダミー線に対してデータ線のデータ信号の振幅と同じ大きさで逆位相の信号を供給することによって、カップリングを低減させ、クロストークを抑制することができる。
【００６６】
次に本発明の実施の形態の第２の実施例について次図を参照して説明する。
【００６７】
図１３は、本発明の実施の形態の第２の実施例による表示装置１００の一部の構成例を示す図である。ここでは、表示装置１００は、図１に示した水平セレクタ（ＨＳＥＬ）２００、データ線２１１乃至２１４およびダミー線２３１乃至２３４に代えて水平セレクタ（ＨＳＥＬ）３００、データ線（ＯＤＤ）３１１乃至３１４およびデータ線（ＥＶＥＮ）３２１乃至３２４を備える。なお、画素回路５００と、走査線４２１乃至４２４および電源線４３１乃至４３４と、ライトスキャナ（ＷＳＣＮ）４２０と、電源スキャナ（ＤＳＣＮ）４３０とは、図１で示した構成と同様であるため、ここでの説明を省略する。また、ここでは一例として、４×４個の画素回路５００を図示しているが、あくまでも例示に過ぎない。
【００６８】
データ線（ＯＤＤ）３１１乃至３１４およびデータ線（ＥＶＥＮ）３２１乃至３２４は、画素回路５００の列単位ごとに一本ずつ配線され、水平セレクタ３００において生成されたデータ信号を画素回路５００に供給するものである。データ線（ＯＤＤ）３１１乃至３１４は、奇数行目の画素回路５００に接続され、データ線（ＥＶＥＮ）３２１乃至３２４は、偶数行目の画素回路５００に接続される。
【００６９】
水平セレクタ３００は、データ線（ＯＤＤ）３１１乃至３１４およびデータ線（ＥＶＥＮ）３２１乃至３２４にデータ信号として映像信号と基準信号とを切り替えて供給するものである。具体的には、水平セレクタ３００は、データ線（ＯＤＤ）３１１乃至３１４に対しては、奇数行目の画素回路５００の映像信号と基準信号とを切り替え、データ線（ＥＶＥＮ）３２１乃至３２４に対しては、偶数行目の画素回路５００の映像信号と基準信号とを切り替えてデータ信号として供給する。また、この水平セレクタ３００は、データ線（ＯＤＤ）３１１乃至３１４およびデータ線（ＥＶＥＮ）３２１乃至３２４が互いに逆位相になるように映像信号と基準信号との切り替えを行う。これにより、水平セレクタ３００は、データ線によるカップリングの影響を低減させる。
【００７０】
図１４は、本発明の実施の形態の第２の実施例におけるデータ線（ＯＤＤ）３１１およびデータ線（ＥＶＥＮ）３２１によるカップリングの影響を例示するタイミングチャートである。ここでは、データ線（ＯＤＤ）３１１の映像信号の電位（Ｖｓｉｇ＿ＯＤＤ）およびデータ線（ＥＶＥＮ）３２１の映像信号の電位（Ｖｓｉｇ＿ＥＶＥＮ）が互いに同一であると想定し、時間軸を共通としたデータ線（ＯＤＤ）３１１とデータ線（ＥＶＥＮ）３２１とカソード電極６２４との電位変化が示されている。また、カップリングの影響として、発光素子６０４のカソード電極６２４の電位変化を例に挙げて示す。なお、データ線（ＯＤＤ）３１１およびデータ線（ＥＶＥＮ）３２１の映像信号は、列方向の画素回路５００に交互に順次供給されるものとする。また、横軸を時間として表わすが、その横軸の長さは模式的なものであり、時間長の割合を示すものではない。
【００７１】
データ線（ＯＤＤ）３１１の電位は、水平セレクタ３００によって生成された映像信号の電位（Ｖｓｉｇ＿ＯＤＤ）と基準信号の電位（Ｖｏｆｓ）とが切り替わることにより変化する。データ線（ＥＶＥＮ）３２１の電位は、水平セレクタ３００によって生成された映像信号の電位（Ｖｓｉｇ＿ＥＶＥＮ）と基準信号の電位（Ｖｏｆｓ）とが切り替わることで変化する。データ線（ＥＶＥＮ）３２１のデータ信号を切り替えるタイミングとしては、データ線（ＯＤＤ）３１１のデータ信号を映像信号（Ｖｓｉｇ＿ＯＤＤ）から基準信号（Ｖｏｆｓ）に切り替えるタイミングに合わせてデータ線（ＥＶＥＮ）３２１のデータ信号を基準信号（Ｖｏｆｓ）から映像信号（Ｖｓｉｇ＿ＥＶＥＮ）に切り替える。また、データ線（ＯＤＤ）３１１のデータ信号を基準信号（Ｖｏｆｓ）から映像信号（Ｖｓｉｇ＿ＯＤＤ）に切り替えるタイミングに合わせてデータ線（ＥＶＥＮ）３２１のデータ信号を映像信号（Ｖｓｉｇ＿ＥＶＥＮ）から基準信号（Ｖｏｆｓ）に切り替える。
【００７２】
このように、データ線（ＯＤＤ）３１１およびデータ線（ＥＶＥＮ）３２１の映像信号の電位が互いに同一の場合には、カソード電極６２４の電位は変動しない。これは、データ線（ＯＤＤ）３１１およびデータ線（ＥＶＥＮ）３２１のデータ信号の切り替えにおいて、それぞれのデータ信号の電位を互いに異なる極性に変化させることよって、カップリングが相殺されるからである。なお、データ線（ＯＤＤ）３１１およびデータ線（ＥＶＥＮ）３２１は、同数の画素回路５００に接続されるため、両者のトランジェント特性はほぼ一致する。そのため、図８（ｂ）に示した本発明の実施の形態における第１の実施例でのカップリングの影響とは異なり、ここでは、カップリングの影響が適切に相殺される。なお、上述のように、ここでは一例として、データ線（ＯＤＤ）３１１の映像信号の電位（Ｖｓｉｇ＿ＯＤＤ）およびデータ線（ＥＶＥＮ）３２１の映像信号の電位（Ｖｓｉｇ＿ＥＶＥＮ）が互いに同一である場合を示したが、両者の映像信号の電位が異なる場合には、カップリングの影響を完全には相殺することができない。
【００７３】
図１５は、本発明の実施の形態の第２の実施例による表示装置１００のカップリングの影響を例示するタイミングチャートである。ここでは、時間軸を共通にして、水平同期線４２９と、走査線４２１乃至４２６と、データ線（ＯＤＤ）３１１およびデータ線（ＥＶＥＮ）３２１と、カソード電極６２４との電位変化が示されている。なお、水平同期線４２９は、図９で示したものと同様であるため、ここでの説明を省略する。また、横軸を時間軸とするが、その横軸の長さは模式的なものであり、時間長の割合を示すものではない。
【００７４】
ここでは、奇数行目の画素回路５００に走査線４２１、走査線４２３および走査線４２５が接続され、第１、第３および第５の水平走査期間においてデータ線（ＯＤＤ）３１１のデータ信号がそれぞれ書き込まれる。一方、偶数行目の画素回路５００に走査線４２２、走査線４２４および走査線４２６が接続され、第２、第４および第６の水平走査期間においてデータ線（ＥＶＥＮ）３２１のデータ信号がそれぞれ書き込まれる。この場合、データ線（ＯＤＤ）３１１およびデータ線（ＥＶＥＮ）３２１は、列方向の画素回路５００に対して交互にデータ信号を供給することから、１つの画素回路５００に対して連続する２つの水平走査期間内にデータ信号を供給すればよい。
【００７５】
データ線（ＯＤＤ）３１１およびデータ線（ＥＶＥＮ）３２１の電位は、上述の通り、互いに異なる極性を有するように変化する。データ線（ＯＤＤ）３１１に供給される映像信号の電位（Ｖｓｉｇ＿ＯＤＤ）は一定であると想定し、基準信号（Ｖｏｆｓ）と映像信号（Ｖｓｉｇ＿ＯＤＤ）との間の電位差はＶａである。一方、データ線（ＥＶＥＮ）３２１に供給される映像信号電位は、第４および第５の水平走査期間内に供給される映像信号の電位（Ｖｓｉｇ＿ＥＶＥＮ）のみＶａより低く、基準信号と映像信号との間の電位差はＶｂであるものと想定する。この場合、カソード電極６２４は、第４および第５の水平走査期間においてカップリングの影響を受ける。これは、映像信号と基準信号との切り替えにおいて変化する電位差の大きさが異なるため、カップリングを完全には相殺できないからである。ここでは、データ線（ＥＶＥＮ）３２１の電位差（Ｖｂ）に比べてデータ線（ＯＤＤ）３１１の電位差（Ｖａ）の方が大きいため、カソード電極６２４は、データ線（ＥＶＥＮ）３２１によって相殺しきれない分のカップリングの影響をデータ線（ＯＤＤ）３１１から受ける。
【００７６】
このように、データ線（ＯＤＤ）３１１およびデータ線（ＥＶＥＮ）３２１における両者の電位差が異なる場合には、カップリングの影響を受けてしまう。
【００７７】
図１６は、本発明の実施の形態の第２の実施例による表示装置１００の第５の水平走査期間（５Ｈ）におけるカップリングの影響を例示するタイミングチャートである。ここでは、図１５で示した第５の水平走査期間（５Ｈ）における走査線４２５およびデータ線（ＯＤＤ）３１１に接続された画素回路５００について説明する。ここでは、横軸を共通の時間軸として、走査線４２５、電源線４３５、データ線３１１、第１ノード６０５および第２ノード６０６の電位変化を表している。なお、ここでは、図１５に示した電位変化に加えて電源線４３５、第１ノード６０５および第２ノード６０６の電位変化が示されているが、これ以外は同様の電位変化であるため、説明を省略する。さらに、ここで示すＴＰ１乃至ＴＰ８は、図２で示した画素回路の動作に関する期間と同様であるため、説明を省略する。また、各期間を示す横軸の長さは模式的なものであり、各期間の時間長の割合を示すものではない。
【００７８】
カソード電極６２４が受けるカップリングは、主にＴＰ５乃至ＴＰ７の期間の画素回路の動作に影響を与えるため、ＴＰ５乃至ＴＰ８における第１ノード６０５および第２ノード６０６の電位変化を中心に説明する。なお、第１ノード６０５および第２ノード６０６の電位変化を示す波形については、カップリングの影響を受けた場合の波形を太線で表わし、カップリングの影響を受けない場合の波形を細い破線で表わしている。
【００７９】
ＴＰ５では、データ線（ＯＤＤ）３１１のデータ信号が基準信号から映像信号に切り替わることに伴いカップリングの影響を受けてカソード電極６２４の電位が上昇する。これにより、第１ノード６０５および第２ノード６０６の電位は、破線により示される所望の電位より上昇する。なお、上述の通り、第１ノード６０５と第２ノード６０６とでは、上昇する電位の大きさは異なる。続いて、ＴＰ６では、データ線（ＯＤＤ）３１１からの映像信号が保持容量６０３に書き込まれるため、第１ノード６０５の電位は、所望の映像信号の電位（Ｖｓｉｇ）まで上昇する。それに対し、第２ノード６０６の電位は、ＴＰ６の終了時においては所望の電位より若干高いが、ＴＰ７では、第２ノード６０６の電位は、ほぼ所望の電位に戻る。
【００８０】
このように、本発明の実施の形態における表示装置１００の第２の実施例によれば、データ線（ＯＤＤ）３１１との相殺しきれない分のカップリングの影響によって第１ノード６０５と第２ノード６０６との間の電位差は変動するが、発光素子の発光時においては、その影響は軽微なものとなる。また、データ線（ＯＤＤ）３１１のデータ信号の電位差とデータ線（ＥＶＥＮ）３２１のデータ信号の電位差が同じ大きさであれば、カップリングの影響を理論上は完全に相殺することができる。
【００８１】
次に本発明の実施の形態の第３の実施例について次図を参照して説明する。
【００８２】
図１７は、本発明の実施の形態の第３の実施例による表示装置１００のカップリングの影響を例示するタイミングチャートである。なお、ここでは、図１５で示したように、時間軸を共通にして、水平同期線４２９と、走査線４２１乃至４２６と、データ線（ＯＤＤ）３１１およびデータ線（ＥＶＥＮ）３２１と、カソード電極６２４との電位変化が示されている。また、横軸を時間軸とするが、その横軸の長さは模式的なものであり、時間長の割合を示すものではない。
【００８３】
ここでは、データ線からの基準信号を保持容量６０３に供給する閾値補正に関する動作と、データ線からの映像信号を保持容量６０３に供給する書込みおよび移動度補正動作とを同一の水平走査期間内に行う代わりに、閾値補正に関する動作を１つ前の水平走査期間内に行うことを想定している。例えば、走査線４２３においては、第２の水平走査期間（２Ｈ）内に閾値補正に関する動作期間（第１の期間）を含み、第３の水平走査期間（３Ｈ）内に書込みおよび移動度補正の動作期間（第２の期間）を含む。ここで、第２の水平走査期間（２Ｈ）には、走査線４２３の閾値補正に関する動作期間（第１の期間）以外に、走査線４２２の書込みおよび移動度補正の動作期間（第２の期間）が含まれる。すなわち、第２の水平走査期間（２Ｈ）においては、走査線４２３に接続された画素回路５００に対する閾値補正に関する動作と、走査線４２２に接続された画素回路５００（走査線４２３に接続された画素回路５００より一段上）に対する書込みおよび移動度補正の動作とが行われる。なお、上述の通り、走査線におけるＨレベルの状態が長い期間（第１の期間）が閾値補正に関する動作期間であり、短い期間（第２の期間）が書込みおよび移動度補正動作期間である。
【００８４】
ここで、データ線（ＯＤＤ）３１１およぶデータ線（ＥＶＥＮ）３２１の電位は、図１５で示したように、互いに異なる極性を有するように変化する。また、データ線（ＯＤＤ）３１１に供給される映像信号の電位（Ｖｓｉｇ＿ＯＤＤ）は一定であると想定し、基準信号（Ｖｏｆｓ）と映像信号（Ｖｓｉｇ＿ＯＤＤ）との間の電位差はＶａである。ここでは、第４の水平走査期間（４Ｈ）内に供給されるデータ線（ＥＶＥＮ）３２１の映像信号の電位（Ｖｓｉｇ＿ＥＶＥＮ）のみＶａより低く、基準信号と映像信号との間の電位差はＶｂであるものと想定する。
【００８５】
この場合、カソード電極６２４の電位は、第４の水平走査期間（４Ｈ）の開始および終了付近においてカップリングの影響を受ける。これは、上述の通り、データ線（ＯＤＤ）３１１およびデータ線（ＥＶＥＮ）３２１における両者の電位差が異なるからである。しかしながら、この第３の実施例では、カップリングの影響を受けた場合においても、書込みおよび移動度補正の動作が行われる際には、そのカップリングの影響が解消されている。例えば、走査線４２４の書込みおよび移動度補正の動作期間（第２の期間）では、カソード電極６２４の電位は、所定の電位に戻っている。
【００８６】
このように、本発明の実施の形態における表示装置１００の第３の実施例によれば、閾値補正に関する動作を１つ前の水平走査期間内に行うことによって、カップリングの影響が解消した後に書込みおよび移動度補正の動作を行うことができるため、クロストークの発生を防ぐことができる。なお、このように、閾値補正に関する動作を１つ前の水平走査期間内に行うことができるのは、列方向の画素回路５００に対してデータ線（ＯＤＤ）およびデータ線（ＥＶＥＮ）を交互に接続してデータ信号を供給するからである。これにより、一方のデータ線で、書込みおよび移動度補正を行いながら、もう一方のデータ線で、次の画素回路５００に閾値補正を行うことができるようになる。
【００８７】
図１８は、本発明の実施の形態の第３の実施例による表示装置１００の第４の水平走査期間（４Ｈ）におけるカップリングの影響を例示するタイミングチャートである。ここでは、図１７で示した第４の水平走査期間（４Ｈ）における走査線４２４とデータ線（ＥＶＥＮ）３２１とに接続された画素回路５００について説明する。ここでは、横軸を共通の時間軸として、走査線４２４、電源線４３４、データ線（ＥＶＥＮ）３２１、第１ノード６０５および第２ノード６０６の電位変化を表している。なお、ここでは、図１７に示した電位変化に加えて電源線４３５、第１ノード６０５および第２ノード６０６の電位変化が示されている。また、ここで示すＴＰ１乃至ＴＰ８は、図２で示した画素回路の動作に関する期間と同様であるため、ここでの説明を省略する。また、各期間を示す横軸の長さは模式的なものであり、各期間の時間長の割合を示すものではない。
【００８８】
カソード電極６２４が受けるカップリングは、ＴＰ５での画素回路の動作に影響を与えるため、ＴＰ５における第１ノード６０５および第２ノード６０６の電位変化について説明する。なお、第１ノード６０５および第２ノード６０６の電位変化を示す波形については、カップリングの影響を受けた場合の波形を太線で表わし、カップリングの影響を受けない場合の波形を細い破線で表わしている。
【００８９】
ＴＰ５では、データ線（ＥＶＥＮ）３２１のデータ信号における基準信号から映像信号への切り替えにおいて、データ線（ＯＤＤ）３１１の電位差（Ｖａ）がデータ線（ＥＶＥＮ）３２１の電位差（Ｖｂ）より大きいため、データ線（ＯＤＤ）３２１からのカップリングの影響を受けてカソード電極６２４の電位が低下する。これにより、第１ノード６０５および第２ノード６０６の電位は、破線により示される所望の電位より低下する。なお、上述の通り、第１ノード６０５と第２ノード６０６とでは、低下する電位の大きさは異なる。ここで、図１７で示したように、走査線４２４による閾値補正に関する動作を第３の水平走査期間（３Ｈ）内において行うことで、第４の水平走査期間（４Ｈ）内に行われる書込みおよび移動度補正動作の開始までには、およそ１水平走査期間程度の時間を確保することができる。これにより、ＴＰ５の開始直後に受けたカップリングの影響は、時間が経つにつれて徐々に減少し、ＴＰ６の開始前までには、カソード電極６２４が所定の電位に戻り、カップリングの影響を受けずに書込みおよび移動度補正の動作が行われる。
【００９０】
このように、本発明の実施の形態の第３の実施例では、カップリングの影響を受けた場合においても、カソード電極６２４が所定の電位に戻るために要する時間を確保することで、クロストークを防止することができる。
【００９１】
図１９は、本発明の実施の形態の第２および第３の実施例による水平セレクタ（ＨＳＥＬ）３００の一部の構成を例示するブロック図である。水平セレクタ３００は、データ線（ＯＤＤ）３１１乃至３１３およびデータ線（ＥＶＥＮ）３２１乃至３２３と、映像信号線（Ｖｓｉｇ＿ＯＤＤ）１３１１乃至１３１３および映像信号線（Ｖｓｉｇ＿ＥＶＥＮ）１３２１乃至１３２３と、基準信号線（Ｖｏｆｓ）１３１０と、切替回路３５１乃至３５３と、切替回路３６１乃至３６３と、切替回路３７１乃至３７３と、切替回路３８１乃至３８３と、切替制御線３０１乃至３０４とを備える。
【００９２】
切替回路３５１乃至３５３は、基準信号線（Ｖｏｆｓ）１３１０とデータ線（ＯＤＤ）３１１乃至３１３との間の接続の有無をそれぞれ切り替えるものである。
【００９３】
切替回路３６１乃至３６３は、映像信号線（Ｖｓｉｇ＿ＯＤＤ）１３１１乃至１３１３とデータ線（ＯＤＤ）３１１乃至３１３との間の接続の有無をそれぞれ切り替えるものである。
【００９４】
切替回路３７１乃至３７３は、基準信号線（Ｖｏｆｓ）１３１０とデータ線（ＥＶＥＮ）３２１乃至３２３との間の接続の有無をそれぞれ切り替えるものである。
【００９５】
切替回路３８１乃至３８３は、映像信号線（Ｖｓｉｇ＿ＥＶＥＮ）１３２１乃至１３２３とデータ線（ＥＶＥＮ）３２１乃至３２３との間の接続の有無をそれぞれ切り替えるものである。
【００９６】
切替制御線３０１乃至３０４は、切替回路３５１乃至３５３、切替回路３６１乃至３６３、切替回路３７１乃至３７３および切替回路３８１乃至３８３に対して切り替えを指示するものである。
【００９７】
このように、一対のデータ線（ＯＤＤ）およびデータ線（ＥＶＥＮ）に対して４つの切替回路と４本の切替制御線とを用いて映像信号と基準信号とを切り替えてデータ信号の生成を行う。
【００９８】
図２０は、本発明の実施の形態における水平セレクタ（ＨＳＥＬ）３００の変形例を示すブロック図である。ここでは、水平セレクタ（ＨＳＥＬ）３００は、切替制御線３０１乃至３０４に代えて切替制御線３０５および３０６を備える。なお、切替制御線３０５および３０６以外の構成は図１９で示したものと同様であるため、ここでの説明を省略する。
【００９９】
切替制御線（ＯｆｓＳＷ＿ＯＤＤ／ＳｉｇＳＷ＿ＥＶＥＮ）３０５は、切替回路３５１乃至３５３および切替回路３８１乃至３８３に対して切り替えを指示するものである。
【０１００】
切替制御線（ＳｉｇＳＷ＿ＯＤＤ／ＯｆｓＳＷ＿ＥＶＥＮ）３０６は、切替回路３６１乃至３６３および切替回路３７１乃至３７３に対して切り替えを指示するものである。
【０１０１】
図２１は、本発明の実施の形態における水平セレクタ（ＨＳＥＬ）３００の変形例によるデータ線（ＯＤＤ）３１１およびデータ線（ＥＶＥＮ）３２１のデータ信号の生成を示すタイミングチャートである。ここでは、切替制御線３０５からの指示により切替回路３５１および３８１を切り替え、切替制御線３０６からの指示により切替回路３６１および３７１を切り替えることを想定している。また、ここでは、横軸を共通の時間軸として、切替制御線３０５および３０６と、基準信号線（Ｖｏｆｓ）１３１０と、映像信号線（Ｖｓｉｇ＿ＯＤＤ）１３１１と、映像信号線（Ｖｓｉｇ＿ＥＶＥＮ）１３２１と、データ線（ＯＤＤ）３１１と、データ線（ＥＶＥＮ）３２１との電位変化を表している。
【０１０２】
データ線（ＯＤＤ）３１１については、切替制御線（ＯｆｓＳＷ＿ＯＤＤ／ＳｉｇＳＷ＿ＥＶＥＮ）３０５の電位がＬレベルに落とされた後に、切替制御線（ＳｉｇＳＷ＿ＯＤＤ／ＯｆｓＳＷ＿ＥＶＥＮ）３０６の電位がＨレベルに設定されると切替回路３６１によりデータ線（ＯＤＤ）３１１と映像信号線１３１１とが接続され、映像信号線１３１１の電位（Ｖｓｉｇ＿ＯＤＤ）が供給される。次に、切替制御線（ＳｉｇＳＷ＿ＯＤＤ／ＯｆｓＳＷ＿ＥＶＥＮ）３０６の電位がＬレベルに落とされた後に、切替制御線（ＯｆｓＳＷ＿ＯＤＤ／ＳｉｇＳＷ＿ＥＶＥＮ）３０５の電位がＨレベルに設定されると切替回路３５１により基準信号線１３１０の電位（Ｖｏｆｓ）が供給される。
【０１０３】
一方、データ線（ＥＶＥＮ）３２１については、切替制御線（ＳｉｇＳＷ＿ＯＤＤ／ＯｆｓＳＷ＿ＥＶＥＮ）３０５の電位がＬレベルに落とされた後に、切替制御線（ＳｉｇＳＷ＿ＯＤＤ／ＯｆｓＳＷ＿ＥＶＥＮ）３０６の電位がＨレベルに設定されると切替回路３７１によりデータ線（ＥＶＥＮ）３２１と基準信号線１３１０とが接続され、基準信号線１３１０の電位（Ｖｏｆｓ）が供給される。次に、切替制御線（ＳｉｇＳＷ＿ＯＤＤ／ＯｆｓＳＷ＿ＥＶＥＮ）３０６の電位がＬレベルに落とされた後に、切替制御線（ＳｉｇＳＷ＿ＯＤＤ／ＯｆｓＳＷ＿ＥＶＥＮ）３０５の電位がＨレベルに設定されると切替回路３８１により映像信号線１３２１の電位（Ｖｓｉｇ＿ＥＶＥＮ）が供給される。
【０１０４】
このように、本発明の実施の形態における水平セレクタ３００の変形例によれば、切替回路３５１および３８１と、切替回路３６１および３７１とをそれぞれ共通の切替制御線３０５および３０６を用いて制御することによって、切替回路を制御する切替制御線を４本から２本に削減することができる。
【０１０５】
このように、本発明の実施の形態によれば、表示装置１００において２次元マトリックス状に配置された画素回路５００に対して列単位ごとに２本のデータ線を備えることによって、データ線とのカップリングの影響を低減してクロストークの発生を抑制することができる。
【０１０６】
なお、本発明の実施の形態では、画素回路６００を備える表示装置１００について説明したが、画素回路６００以外の構成の画素回路を備える表示装置に対しても適用することができる。ここで、画素回路６００以外の画素回路の構成例として画素回路６６０について次図を参照して簡単に説明する。
【０１０７】
図２２は、本発明の実施の形態における画素回路の他の構成例を示すブロック図である。ここでは、電源スキャナ（ＤＳＣＮ）４３０および電源線（ＤＳ）６３１に代えて第１トランジスタ６６１、電源スキャナ（ＤＳＣＮ）６６２および電源線（ＤＳ）６６３が示されている。なお、第１トランジスタ６６１、電源スキャナ（ＤＳＣＮ）６６２および電源線（ＤＳ）６６３以外の他の構成は、図２５で示したものと同様であるため、ここでの説明を省略する。第１トランジスタ６６１は、電源線（ＤＳ）６６３からの制御信号に応じて駆動トランジスタ６０２に対して電源電位（Ｖｃｃ）を供給するものである。電源スキャナ（ＤＳ）６６２は、第１トランジスタ６６１を制御するための制御信号を電源線（ＤＳ）６６３に供給するものである。
【０１０８】
さらに、本発明の実施の形態では、画素回路６００以外の構成として上述のように画素回路６６０を示したが、画素回路６７０を備える表示装置に対しても適用することができる。ここで、画素回路６７０について次図を参照して簡単に説明する。
【０１０９】
図２３は、本発明の実施の形態における画素回路のさらに他の構成例を示すブロック図である。ここでは、図２２で示した構成に加えて第２トランジスタ、補正スキャナ６７２および第２トランジスタ制御線（ＡＺ）６７３が示されている。なお、第２トランジスタ、補正スキャナ６７２および第２トランジスタ制御線６７３以外の他の構成は、図２２で示したものと同様であるため、ここでの説明を省略する。第２トランジスタ６６１は、第２トランジスタ制御線（ＡＺ）６７３からの制御信号に応じて第２ノード（ＮＤ２）６０６を初期化電位（Ｖｓｓ）に設定するものである。補正スキャナ６７２は、第２トランジスタ６７１を制御するための制御信号を第２トランジスタ制御線（ＡＺ）６７３に供給するものである。
【０１１０】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【０１１１】
すなわち、請求項１において、画素回路は例えば画素回路５００、６００、６６０および６７０に対応する。また、第１および第２のデータ線は例えばデータ線２１１乃至２１４およびダミー線２３１乃至２３４またはデータ線（ＯＤＤ）３１１乃至３１４およびデータ線（ＥＶＥＮ）３２１乃至３２４に対応する。また、データ駆動回路は例えば水平セレクタ（ＨＳＥＬ）２００または水平セレクタ（ＨＳＥＬ）３００に対応する。
【０１１２】
また、請求項２において、第１および第２のデータ線は例えばデータ線２１１乃至２１４およびダミー線２３１乃至２３４またはデータ線（ＯＤＤ）３１１乃至３１４およびデータ線（ＥＶＥＮ）３２１乃至３２４に対応する。
【０１１３】
また、請求項３において、第１および第２のデータ線は例えばデータ線（ＯＤＤ）３１１乃至３１４およびデータ線（ＥＶＥＮ）３２１乃至３２４に対応する。
【０１１４】
また、請求項４において、データ駆動回路は例えば水平セレクタ（ＨＳＥＬ）３００に対応する。第１または第３の切替回路は例えば切替回路３５１乃至３５３または切替回路３７１乃至３７３に対応する。また、第２または第４の切替回路は例えば切替回路３６１乃至３６３または切替回路３８１乃至３８３に対応する。また、第１または第２の切替制御線は例えば切替制御線３０５または３０６に対応する。
【０１１５】
また、請求項５において、走査線は例えば走査線４２１乃至４２４に対応する。また、走査駆動回路は例えばライトスキャナ（ＷＳＣＮ）４２０に対応する。また、第１のトランジスタは例えば書込みトランジスタ６０１に対応する。
【０１１６】
また、請求項６において、データ駆動回路は例えば水平セレクタ（ＨＳＥＬ）２００に対応する。また、第１または第２のデータ線は例えばデータ線２１１乃至２１４またはダミー線２３１乃至２３４に対応する。
【０１１７】
また、請求項７において、第１のデータ線は例えばダミー線２３１乃至２３４に対応する。
【０１１８】
また、請求項８において、走査線は例えば走査線４２１乃至４２４に対応する。また、走査駆動回路は例えばライトスキャナ（ＷＳＣＮ）４２０に対応する。
【０１１９】
また、請求項９において、下部電極は例えばアノード電極６３４に対応する。また、下部電極は例えばカソード電極６２４に対応する。また、有機層は例えば有機層６１４に対応する。また、発光素子は例えば発光素子６０４に対応する。
【０１２０】
また、請求項１０において、補助配線は例えばカソード補助配線６０９に対応する。
【０１２１】
また、請求項１１において、走査線は例えば走査線４２１乃至４２４に対応する。電源線は例えば４３１乃至４３４に対応する。また、走査駆動回路は例えばライトスキャナ（ＷＳＣＮ）４２０に対応する。また、電源回路は例えば電源スキャナ（ＤＳＣＮ）４３０に対応する。また、第１のトランジスタは例えば書込みトランジスタ６０１に対応する。また、保持容量は例えば保持容量６０３に対応する。また、第２のトランジスタは例えば駆動トランジスタ６０２に対応する。また、発光素子は例えば発光素子６０４に対応する。
【０１２２】
また、請求項１２において、走査駆動回路は例えばライトスキャナ（ＷＳＣＮ）４２０に対応する。また、第１のトランジスタは例えば書込みトランジスタ６０１に対応する。また、保持容量は例えば保持容量６０３に対応する。また、データ駆動回路は例えば水平セレクタ（ＨＳＥＬ）２００または水平セレクタ（ＨＳＥＬ）３００に対応する。
【０１２３】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【０１２４】
【図１】本発明の実施の形態の第１の実施例における表示装置１００の一部の構成例を示す図である。
【図２】画素回路６００の動作に関するタイミングチャートである。
【図３】ＴＰ８、ＴＰ１およびＴＰ２の期間にそれぞれ対応する画素回路６００の動作状態を示す模式的な回路図である。
【図４】ＴＰ３乃至ＴＰ５の期間にそれぞれ対応する画素回路６００の動作状態を示す模式的な回路図である。
【図５】ＴＰ６およびＴＰ７の期間にそれぞれ対応する画素回路６００の動作状態を示す模式的な回路図である。
【図６】表示装置における画素回路６００とカソード補助配線６０９との関係を示す模式図である。
【図７】画素回路６００の要部を示す断面模式図である。
【図８】カップリングの影響を例示するタイミングチャートである。
【図９】本発明の実施の形態の第１の実施例による表示装置１００のカップリングの影響を例示するタイミングチャートである。
【図１０】本発明の実施の形態の第１の実施例による表示装置１００の第４の水平走査期間（４Ｈ）におけるカップリングの影響を例示するタイミングチャートである。
【図１１】データ線とのカップリングによって発生するクロストークの影響について説明するための概念図である。
【図１２】データ線とのカップリングによって発生するクロストークの影響を例示する概念図である。
【図１３】本発明の実施の形態の第２の実施例による表示装置１００の一部の構成例を示す図である。
【図１４】本発明の実施の形態の第２の実施例におけるデータ線（ＯＤＤ）３１１およびデータ線（ＥＶＥＮ）３２１によるカップリングの影響を例示するタイミングチャートである。
【図１５】本発明の実施の形態の第２の実施例による表示装置１００のカップリングの影響を例示するタイミングチャートである。
【図１６】本発明の実施の形態の第２の実施例による表示装置１００の第５の水平走査期間（５Ｈ）におけるカップリングの影響を例示するタイミングチャートである。
【図１７】本発明の実施の形態の第３の実施例による表示装置１００のカップリングの影響を例示するタイミングチャートである。
【図１８】本発明の実施の形態の第３の実施例による表示装置１００の第４の水平走査期間（４Ｈ）におけるカップリングの影響を例示するタイミングチャートである。
【図１９】本発明の実施の形態の第２および第３の実施例による水平セレクタ（ＨＳＥＬ）３００の一部の構成を例示するブロック図である。
【図２０】本発明の実施の形態における水平セレクタ（ＨＳＥＬ）３００の変形例を示すブロック図である。
【図２１】本発明の実施の形態における水平セレクタ（ＨＳＥＬ）３００の変形例によるデータ線（ＯＤＤ）３１１およびデータ線（ＥＶＥＮ）３２１のデータ信号の生成を示すタイミングチャートである。
【図２２】本発明の実施の形態における画素回路の他の構成例を示すブロック図である。
【図２３】本発明の実施の形態における画素回路のさらに他の構成例を示すブロック図である。
【図２４】従来の表示装置の構成例の一部を示すブロック図である。
【図２５】一般的な有機ＥＬ素子を備えた画素回路の一構成例を示す図である。
【符号の説明】
【０１２５】
１００  表示装置
２００、３００  水平セレクタ
２１１〜２１４、３１１〜３１４、３２１〜３２４  データ線
２３１〜２３４  ダミー線
３０１〜３０６  切替制御線
３５１〜３５３、３６１〜３６３、３７１〜３７３、３８１〜３８３  切替回路
４２０  ライトスキャナ
４２１〜４２４  走査線
４３０  電源スキャナ
４３１〜４３４  電源線
５００、６００  画素回路
６０１  書込みトランジスタ
６０２  駆動トランジスタ
６０３  保持容量
６０４  発光素子
６０５  第１ノード
６０６  第２ノード
６０８  寄生容量
６０９  カソード補助配線
６１２  ゲート電極
６１４  有機層
６１８  配線
６１９  層間絶縁膜
６２２  ドレイン領域
６２４  カソード電極
６３２  ソース領域
６３４  アノード電極
１３１０  基準信号線
１３１１〜１３１３、１３２１〜１３２３  映像信号線
【図１】
2009216869.tif 000003
【図２】
2009216869.tif 000004
【図３】
2009216869.tif 000005
【図４】
2009216869.tif 000006
【図５】
2009216869.tif 000007
【図６】
2009216869.tif 000008
【図７】
2009216869.tif 000009
【図８】
2009216869.tif 000010
【図９】
2009216869.tif 000011
【図１０】
2009216869.tif 000012
【図１１】
2009216869.tif 000013
【図１３】
2009216869.tif 000014
【図１４】
2009216869.tif 000015
【図１５】
2009216869.tif 000016
【図１６】
2009216869.tif 000017
【図１７】
2009216869.tif 000018
【図１８】
2009216869.tif 000019
【図１９】
2009216869.tif 000020
【図２０】
2009216869.tif 000021
【図２１】
2009216869.tif 000022
【図２２】
2009216869.tif 000023
【図２３】
2009216869.tif 000024
【図２４】
2009216869.tif 000025
【図２５】
2009216869.tif 000026
【図１２】
2009216869.tif 000027